(57)【特許請求の範囲】
【請求項１】
透光性材料からなる透明基板の対向する二つの側面に沿って、導光体と該導光体の端部に配置される点状光源とからなる長手状の光源部を近接配置した面状照明部と、
該面状照明部の上面と下面の周辺部、および該面状照明部の対向する側面のうち前記光源部が配置されている方の対向する側面を覆うフレームと、
該フレームに形成されており、フレーム内に収納された部材を止着するための爪と、
前記導光体の端部にそれぞれ配置される２個の点状光源を実装したＦＰＣとを備え、
前記フレームは、コの字状を有する二つの部分フレームから成り、それぞれのフレームは、前記面状照明部の前記光源部が配置されている方の対向する側面方向から前記面状照明部に嵌入されるように装着されると共に、着脱可能に結合され、
前記点状光源の実装されたＦＰＣは、前記二つのコの字状の部分フレームによって開口部が形成された、光源部の配置されていない側面側のフレーム内に収納され、
前記光源部の長手方向の端部は、前記爪により止着されていることを特徴とする面状照明装置。
【請求項２】
前記二つのフレームの前記面状照明部の上面および下面を覆う部分には、一方のフレームに切欠き部が設けられるとともに他方のフレームに突起部が設けられ、両者が嵌着されることにより前記二つのフレームは結合されることを特徴とする請求項１に記載の面状照明装置。
【請求項３】
前記面状照明部の前記フレームによって覆われていない方の対向する側面は、フレームに形成された爪によって止着されることを特徴とする請求項１または２に記載の面状照明装置。
【請求項４】
前記面状照明部の前記フレームによって覆われていない方の対向する側面は、前記フレームとは相違する別のフレームによって覆われることを特徴とする請求項１から３のいずれかに記載の面状照明装置。
【請求項５】
前記別のフレームは、非導電性物質からなることを特徴とする請求項４に記載の面状照明装置。
【請求項６】
前記上面の周辺部に防塵構造を設けたことを特徴とする請求項４または５に記載の面状照明装置。
【請求項７】
前記上面の周辺部を覆うフレーム上にシール材を貼り付け、該シール材に前記上面を覆う透明のフィルムを取り付けたことを特徴とする請求項４から６のいずれかに記載の面状照明装置。
【請求項８】
前記点状光源は、中央部に凹部を有し、前記フレームに形成された爪を前記点状光源の凹部に嵌合することを特徴とする請求項１から７のいずれかに記載の面状照明装置。
【請求項９】
前記透明基板の上面には、略逆台形状の溝部と該溝部に隣接する平坦部とから構成された光反射パターンが形成されていることを特徴とする請求項１から８のいずれかに記載の面状照明装置。
【請求項１０】
前記溝部の深さは、前記導光体から離れるほど深くなり、前記透明基板の中央付近に形成される溝部の深さが最も深くなることを特徴とする請求項９に記載の面状照明装置。
【発明の詳細な説明】
【０００１】
【発明の属する技術分野】
本発明は、看板、各種反射型表示装置等の照明手段に用いられる面状照明装置のフレームに関するものである。
【０００２】
【従来の技術】
薄型で占有容積が小さく、軽量であること等に特徴を有する液晶表示装置は、携帯電話やパーソナルコンピュータ等をはじめとする多くの電気製品に使用され、その需要は増大している。ところで、液晶表示装置の液晶自体は自ら発光しないため、太陽光や部屋の照明の明るさを十分に取り込むことができない暗所で使用する場合には、液晶表示装置とは別個に液晶を照射する照明手段が必要となる。従って、この液晶を照射する照明手段も小型で消費電力が小さいことが望まれ、近年、薄板状のサイドライト方式（導光板方式）の面状照明装置をその手段として使用することが多い。
【０００３】
図９に、サイドライト方式を使用する面状照明装置の従来例の一形態を示す。図に示すように、面状照明装置１'は、透光性材料からなる透明基板２と、その透明基板２の一側面８に近接して配置された長手状の光源部５とから概略構成される。そして、光源部５から出射された光は透明基板２内に入射し、さらに反射され透明基板２の下部に配置された液晶表示装置（図示、省略）を照射する。
【０００４】
光源部５は直線状の透明材料からなる導光体３と、該導光体３の一端部に対面して配置された点状光源（例えば、発光ダイオード等）４とから構成されている。また、導光体３には、光路変換手段１２が設けられている。この光路変換手段１２は、点状光源４から出射した光を透明基板２の一側端面８にほぼ均一に入射させる機能を有するものであり、透明基板２の一側面８と向かい合う面９の対向面に、例えば、断面形状が三角形の溝部を形成して設けられるものである。導光体３は、透明基板２の一側面８から所定の距離をおいて、導光体３の一側面９が透明基板２の一側端面８に沿うように配置されている。
【０００５】
透明基板２の形状は、一側面８から遠ざかるにしたがって、その板厚が徐々に薄くなる、いわゆる楔型に形成されている。また、透明基板２の上面６５には、複数の光反射パターン５９が形成されている。光反射パターン５９は、断面形状が三角形の溝部５７と、それに隣接する平坦部５８とから構成され、導光体３の長手方向と平行にそれぞれ所定の間隔を置いて形成されている。溝部５７は、導光体３から入射した光が、導光体３（光源部５）からの距離に左右されることなく透明基板２の全体面においてほぼ均一に反射され、透明基板２の下部に設けられた液晶表示装置（図示省略）を照射することができるように、それぞれ相違した深さで形成されている。即ち、溝部５７の深さは、導光体３から遠ざかるに従って徐々に深くなるように形成されている。
【０００６】
導光体３の周囲には、点状光源４から放出される光を効率よく透明基板２内に入射させるため、他の部材との接触等による導光体３の損傷を防ぐため、あるいは導光体３への防塵効果を高めるために、光反射部材（フレーム）１３が設けられている。フレーム１３は概略コの字状に曲げ加工され、導光体３の透明基板２に向かい合う面９以外の長手方向の周囲を覆うように取り付けられる。また、フレーム１３の上面１３ｅおよび下面１３ｆは、背面１３ｇに対して直交する方向から所定の角度だけ内側に傾けて曲げ加工されている。このフレーム１３は取り付けたときに上面１３ｅおよび下面１３ｆの端部（フレーム１３の長手方向で背面１３ｇに連接されていない側の端部）が透明基板２の上面６５および下面６６の端部に重なる（端部を覆う）ように配置される。そして、内側に傾けたフレーム加工の効果によって弾性力を有し、フレーム１３が透明基板２を押圧する（挟み付ける）ように作用して固定する。また、フレーム１３の導光体３側の面（内面）には、銀等の金属を蒸着したフィルム、白色フィルム等を貼り付けた硬質樹脂品、あるいはアルミ板、ステンレス板等の金属板を曲げ加工したものが貼り付けられている。
【０００７】
尚、フレーム１３を透明基板２に固定する方法としては、この他、フレーム１３を取り付けたときにフレーム１３と透明基板２とが重なり合う部分の一方、例えば、透明基板２の上面６５と下面６６の端部に両面テープ５４を貼り付けて、フレーム１３を透明基板２に固定する方法もある。
【０００８】
【発明が解決しようとする課題】
ところで、上述するような、透明基板とフレームとを固定する従来技術では以下のような問題点を有している。
即ち、フレームを曲げ加工して弾性力を持たせた固定方法では、各部材間（透明基板、導光体、点状光源等間）の固定力が弱いため部材位置がずれ易く、安定した照明効果を得ることができない場合がある。また、固定力が弱いために他の部材（例えば、液晶表示装置等）との接合あるいは組立作業が容易ではない他、組立作業時に透明基板や導光体へ接触しないように注意力を要するため、作業効率が低下する。
また、テープを使用する固定方法では、貼り付けるテープにより装置全体の厚さが増加したり、テープを貼り付けない部分との間に段差が生じる。
また、フレームは導光体部のみを覆うものであり、面状照明装置全体を保護するものとしては不充分である。
【０００９】
本発明は、上記課題を解決するためになされてものであり、各部材を確実に固定できるフレームを設け、安定した照明効果を実現できる面状照明装置の提供を目的とするものである。
【００１０】
【課題を解決するための手段】
上記課題を解決するために、請求項１の発明は、透光性材料からなる透明基板の対向する二つの側面に沿って、導光体と該導光体の端部に配置される点状光源とからなる長手状の光源部を近接配置した面状照明部と、該面状照明部の上面と下面の周辺部、および該面状照明部の対向する側面のうち前記光源部が配置されている方の対向する側面を覆うフレームと、該フレームに形成されており、フレーム内に収納された部材を止着するための爪と、前記導光体の端部にそれぞれ配置される２個の点状光源を実装したＦＰＣとを備え、前記フレームは、コの字状を有する二つの部分フレームから成り、それぞれのフレームは、前記面状照明部の前記光源部が配置されている方の対向する側面方向から前記面状照明部に嵌入されるように装着されると共に、着脱可能に結合され、前記点状光源の実装されたＦＰＣは、前記二つのコの字状の部分フレームによって開口部が形成された、光源部の配置されていない側面側のフレーム内に収納され、前記光源部の長手方向の端部は、前記爪により止着されていることを特徴とするものである。ここで、面状照明部とは、面状照明装置の一部分をいい、透明基板およびその側面に配置される光源部（光反射部材を備える場合はそれも含む）によって構成される。
フレームは二つの部分フレームから成り、それぞれのフレームは、面状照明部の光源部が配置される方の対向する側面方向から面状照明部に嵌入されるように装着され、両フレームが結合される。二つのフレームを面状照明部の対向する両側面方向から装着することにより、面状照明部の周囲全体をフレームで覆うことができ、面状照明装置を構成する各部材を確実に固定することができる。
二つのフレームは脱着可能であり、嵌着された二つのフレームの切欠き部と突起部とを取り外し可能な構造とすることにより、容易にフレームを着脱することができるため、組立作業での修正工程の効率をアップさせることができる。
フレームに形成された爪によって光源部の長手方向の端部を止着し、光源部の端部に配置される点状光源を導光体に対して所定の位置に固定することができるので、点状光源から放出される光を効率よく導光体内に入射させることができる。
点状光源を含むチップ部品の搭載されたＦＰＣは、フレーム内に格納される。
【００１１】
また、上記課題を解決するために、請求項２の発明は、請求項１に記載の発明において、前記二つのフレームの前記面状照明部の上面および下面を覆う部分には、一方のフレームに切欠き部が設けられるとともに他方のフレームに突起部が設けられ、両者が嵌着されることにより前記二つのフレームは結合されることを特徴とするものである。
二つのフレームに形成された切欠き部と突起部とを嵌着させて両者を結合させることにより、フレームの取付を容易に行うことができるとともに、正確に各部材を固定することができる。
【００１２】
また、上記課題を解決するために、請求項３の発明は、請求項１または２に記載の発明において、前記面状照明部の前記フレームによって覆われていない方の対向する側面は、フレームに形成された爪によって止着されることを特徴とするものである。
このフレームに形成された爪により面状照明部のフレームによって覆われていない側の対向する側面を止着し、面状照明部を構成する透明基板の位置を、導光体に対して所定の位置に固定することができるので、光源部（導光体）から出射される光を透明基板内に効率よく入射させることができる。
【００１３】
また、上記課題を解決するために、請求項４の発明は、請求項１から３のいずれかに記載の発明において、前記面状照明部の前記フレームによって覆われていない方の対向する側面は、前記フレームとは相違する別のフレームによって覆われることを特徴とするものである。
面状照明部の上面と下面の周辺部、および該面状照明部の対向する側面のうち光源部が配置されている方の対向する側面を覆うフレームによって覆われていない側の対向する側面を別のフレームによって覆う。
【００１４】
また、上記課題を解決するために、請求項５の発明は、請求項４に記載の発明において、前記別のフレームは、非導電性物質からなることを特徴とするものである。
【００１５】
また、上記課題を解決するために、請求項６の発明は、請求項４または５に記載の発明において、前記上面の周辺部に防塵構造を設けたことを特徴とするものである。
【００１６】
また、上記課題を解決するために、請求項７の発明は、請求項４から６のいずれかに記載の発明において、前記上面の周辺部を覆うフレーム上にシール材を貼り付け、該シール材に前記上面を覆う透明のフィルムを取り付けたことを特徴とするものである。
面状照明部の上面の周辺部にフレームを設けた（上方から見たとき額縁状となるフレーム）ことにより、透明基板の上面を覆うフィルムを容易に取り付けることができ、面状照明装置を密閉構造とすることができるので防塵効果を高める。
【００１７】
また、上記課題を解決するために、請求項８の発明は、請求項１から７のいずれかに記載の発明において、前記点状光源は、中央部に凹部を有し、前記フレームに形成された爪を前記点状光源の凹部に嵌合することを特徴とするものである。
【００１８】
また、上記課題を解決するために、請求項９の発明は、請求項１から８のいずれかに記載の発明において、前記透明基板の上面には、略逆台形状の溝部と該溝部に隣接する平坦部とから構成された光反射パターンが形成されていることを特徴とするものである。
【００１９】
また、上記課題を解決するために、請求項１０の発明は、請求項９に記載の発明において、前記溝部の深さは、前記導光体から離れるほど深くなり、前記透明基板の中央付近に形成される溝部の深さが最も深くなることを特徴とするものである。
【００２１】
【発明の実施の形態】
以下、本発明に係る面状照明装置の実施の形態を添付図面に基づいて説明する。尚、本面状照明装置は、従来の面状照明装置の周辺部全体を覆うフレームを設けたものであり、従来の面状照明装置と同様の部材については同一の符号を付し、その詳細な説明は適宜省略する。
【００２２】
図１（ａ）は、本発明に係る面状照明装置の一形態を示す分解斜視図である。図に示すように、面状照明装置１は、透明基板２と、透明基板２の対向する一側面８及び１８に沿って配置される光源部５ａ、５ｂと、光源部５ａ、５ｂを構成している点状光源４ａ、４ｂが実装されるＦＰＣ（プリント配線基板）６と、光反射部材（光源部フレーム）１３ａ、１３ｂと、これらの各部材から成る面状照明部を覆う二つの部分フレーム７ａ、７ｂとから概略構成される。
【００２３】
透明基板２の上面（観察側の面）２５には、一側面８、１８（以下、入射面ともいう。）から入射した光を、透明基板２の下面２６全体から均一に液晶表示装置（図示省略）側へ出射するために光反射パターン２９が形成されている。光反射パターン２９は、溝部２７と溝部に隣接する平坦部２８とから構成され、導光体３ａ、３ｂの軸方向に沿って複数形成されている。溝部２７は、略逆台形状を有している。即ち、台形の短辺を溝部の底部（下面２６側）とし、長辺を上面２５側として形成されている。そして、導光体３ａ、３ｂから離れた位置に形成される溝部２７ほどその深さが深くなるように形成されている。即ち、隣接する溝部２７の深さは、それぞれ相違した深さで形成され、導光体３ａ、３ｂに近い溝部２７の深さほど浅く、逆に、導光体３ａ、３ｂから遠い位置に形成される溝部２７ほどその深さは深くなり、透明基板２の中央付近に形成される溝部２７の深さが最も深くなるように形成されている。
【００２４】
図１（ｂ）は、透明基板２の上面２５に形成された、複数の光反射パターン２９を模式的に示す側面図である。溝部２７ａ２７ｂ…２７ｎの内、導光体３ｂに最も近い溝部２７ａの深さが最も浅く、導光体３ｂから遠くなる（溝部２７ｂ、溝部２７ｃ…）にしたがって、その深さは深くなり、透明基板２の中央付近に形成されている溝部２７ｎの深さが最も深くなっている。このように溝部２７の深さを導光体３ａ、３ｂからの距離に応じて変化させることにより、出射する光を均一にすることができるようになっている。
【００２５】
光源部５ａ、５ｂは、直線状の導光体３ａ、３ｂと点状光源４ａ、４ｂとから構成されている。導光体３ａ、３ｂの一面には光路変換手段１２ａ、１２ｂが形成され、導光体３ａ、３ｂの一端部、即ち、導光体３ａ、３ｂの端面３ｃ、３ｄに対面する位置には、点状光源４ａ、４ｂが近接配置される。点状光源４ａ、４ｂはＦＰＣ上に半田付けによって実装されている。また、光反射部材１３ａ、１３ｂは、面状照明装置１が組み合わされたとき導光体３ａ、３ｂをそれぞれ覆うとともに、透明基板２の上面２５と下面２６の端部も覆うように配置される。
【００２６】
フレーム７ａ、７ｂは、それぞれ金属板を略コの字状に折り曲げ加工し、面状照明装置１が組合わされたときの観察面となる部分を切り欠いた、いわゆる額縁の上半分と下半分を構成する形状に形成されている。詳しくは、フレーム７ａは、透明基板２の一側面１５側の上面２５と下面２６の周辺部およびＦＰＣ６のそれぞれ略半分を覆う上フレーム部３１ａおよび下フレーム部３２ａと、一側面１６側の上面２５および下面２６の周辺部の略半分を覆う上フレーム部３３ａおよび下フレーム部３４ａと、光反射部材１３ａ（導光体３ａを含む）と透明基板２の一側面８側の上面２５および下面２６の周辺部とを覆う上フレーム部３５ａおよび下フレーム部３６ａと、光反射部材１３ａの背面を覆う背面フレーム部３７ａとからなる形状のものである。
【００２７】
また、上フレーム部３１ａには、透明基板２の一側面１５方向への透明基板２のずれを防止する爪３８ａが設けられ、上フレーム部３３ａには透明基板２の一側面１６方向への透明基板２のずれを防止するための爪４０ａが設けられている。但し、面状照明装置１に取り付ける際には、爪３８ａ、４０ａは略鉛直に下フレーム部３２ａ、３４ａ側に折り曲げ加工される。更に、背面フレーム部３７ａの端部には、点状光源４ａの導光体３ａに対する位置のずれを防止するための爪３９ａが設けられている。そして、上下フレーム部３１ａ、３２ａと上下フレーム部３３ａ、３４ａの端部には、フレーム７ｂの突起部（後述する）と嵌着される切欠き部４１ａ〜４４ａが設けられている。
【００２８】
同様にフレーム７ｂは、一側面１５側の上下面の周辺部およびＦＰＣ６のそれぞれ略半分を覆う上フレーム部３１ｂおよび下フレーム部３２ｂと、一側面１６側の上下面の周辺部の略半分を覆う上フレーム部３３ｂおよび下フレーム部３４ｂと、光反射部材１３ｂ（導光体３ｂを含む）と一側面１８側の上下面の周辺部とを覆う上フレーム部３５ｂおよび下フレーム部３６ｂと、光反射部材１３ｂの背面を覆う背面フレーム部３７ｂとからなる形状のものである。また、上フレーム部３１ｂには、一側面１５方向への透明基板２のずれを防止する爪３８ｂが設けられ、上フレーム部３３ｂには、一側面１６方向への透明基板２のずれを防止するための爪４０ｂが設けられている。但し、組立時には、下フレーム部３２ｂ、３４ｂ側に折り曲げ加工される。更に、背面フレーム部３７ｂの端部には、点状光源４ｂの導光体３ｂに対する位置のずれを防止するための爪３９ｂが設けられている。
【００２９】
上下フレーム部３１ｂ、３２ｂと上下フレーム部３３ｂ、３４ｂの端部には、フレーム７ａの切欠き部４１ａ〜４４ａと嵌着される突起部４１ｂ〜４４ｂが設けられている。フレーム７ａ、７ｂを取り付けたとき、フレーム７ａの切欠き部４１ａ〜４４ａが設けられている上下フレーム部３１ａ〜３４ａの端部が、フレーム７ｂの突起部４１ｂ〜４４ｂが設けられている上下フレーム部３１ｂ〜３４ｂの端部と重なり合い、突起部４１ｂ〜４４ｂと切欠き部４１ａ〜４４ａとが嵌着され、フレーム７ａと７ｂ内に面状照明部が保持される。
【００３０】
図２は、フレーム７ａ、７ｂの取り付けられた面状照明装置１の一部断面図である。透明基板２の一側面１５および１６は、折り曲げられた爪３８ｂ、４０ｂ、３８ａ、４０ａ（３８ａ、４０ａは図１参照）によって止着されている。即ち、折り曲げられた爪３８ａ、３８ｂ、４０ａ、４０ｂの内側に透明基板２の一側面１５、１６が保持されている。
フレーム７ａ、７ｂの取り付けられた面状照明装置１は、上面側（観察面側）から見たときに全ての部材がフレーム７ａ、７ｂ内に格納されることとなる（但し、ＦＰＣの他の部材と接続されるコネクタ部６ｐは除く）。
【００３１】
図３は、図２の右側部（上フレーム部３１ａ、３１ｂを含む部分）の裏面図である。
フレーム７ｂの点状光源４ｂが配置される部分には、切欠き部４５が形成されている。この切欠き部４５は、点状光源４ｂをＦＰＣに半田付けしたときに、半田が盛られ得る範囲と重ならない（半田と接触しない）ような大きさに形成されている。図示は省略されているが、フレーム７ａの点状光源４ａが配置される部分にも切欠き部４５と同様の切欠き部が形成されている。
【００３２】
図４は、図２に示すＤ部の拡大側面図である。
上フレーム３５ａに設けられている爪３９ａは、折り曲げられてときにＦＰＣ６に実装された点状光源４ａの略中央部を止着する。この実施の形態では、点状光源４ａの中央部が凹部を有する形状になっており、爪３９ａがこの凹部に嵌合し点状光源４ａを止着する。爪３９ａが凹部に嵌合することで、ＦＰＣ６上に実装される点状光源４ａの実装位置の誤差を強制的に吸収することができ、導光体３ａに対する点状光源４ａを所定の位置に固定することができる。
また、背面フレーム部３７ａの点状光源４ａが配置される部分にも、ＦＰＣ６に実装される点状光源４ａの半田との接触を防止するために切欠き部４６（点線部）が形成されている。
尚、ＦＰＣ６上には、点状光源４ａ、４ｂの他、これらを動作させるために必要な複数のチップ部品が搭載されている。
【００３３】
図５は、図２のＢ−Ｂ線における断面図である。
導光体３ａを覆う光反射部材１３ａは、フレーム７ａの上下フレーム部３５ａ、３６ａおよび背面フレーム部３７ａに内接し、その位置が保持されている。これにより光反射部材１３ａおよび導光体３ａの位置ずれを防止することができ、導光体３ａから透明基板２への光量を効率よく出射することができる。
【００３４】
図６は、図２のＣ−Ｃ線における断面図である。
透明基板２の側面（一側面１５）は、上フレーム部３１ｂに形成された爪３８ｂによって止着されている。これにより導光体３ａの長手方向に対する透明基板２の位置ずれを防止することができる。上下フレーム３１ｂ、３２ｂの一方の端部（図に示す爪３８ｂよりも左側に位置するフレーム）は透明基板２の上面２５、下面２６をそれぞれ覆っている。また、上下フレーム３１ｂ、３２ｂの他方の端部（図のフレーム右側の端部）は、透明基板２に隣接して配置されるＦＰＣ６を覆う位置まで延びている（但し、ＦＰＣの接続部６ｐは除く）。これによりＦＰＣおよびＦＰＣに実装される点状光源が、他の部材と接触することを防止することができる。
【００３５】
図７は、面状照明部のフレームとして、フレーム７ａ、７ｂの他に別のフレームを取り付ける場合の一形態を示す図である。
面状照明部に取り付けたフレーム７ａ、７ｂは、金属板を略コの字状に折り曲げ、面状照明部の上下面の周辺部、光源部の配置されている側面を含む側の対向するそれぞれの面を覆うように加工したものである。従って、面状照明部の光源部の配置されていない対向するそれぞれの側面は、折り曲げ加工された爪によって止着されているのみで全体を覆うフレームは設けられていない（開口状態）。そこで、それぞれの側面全体を覆う別のフレーム（シール材）５１ａ、５１ｂを設ける。シール材５１ａ、５１ｂは、フレーム７ａ、７ｂによって形成される開口部に充填される。また、シール材５１ａ、５１ｂとしては、長板状の非導電性物質、例えば、弾力性と耐摩耗性に優れたポリウレタン等が使用される。これにより、フレーム７ａ、７ｂの防塵効果を高めることができる。また、非導電性の物質を使用しているため、半田付けによってＦＰＣ上に実装する点状光源に対する安全性も確保される。
【００３６】
図８は、面状照明部に取り付けたフレームを密閉構造とする手段の一形態を示す図である。
面状照明部に取り付けられたフレーム７ａ、７ｂの上面（観察面側）は、略平面状となるため、他の部材との接合、組立等を容易に行うことができる。そこで、面状照明部の上面の周辺部を覆うフレーム上にシール材５５（例えば、口の字型のシール材）を設け、その上側に透明基板２の上面全体を覆う透明のフィルム５６を取り付けたものを、フレーム７ａ、７ｂの上面に両面テープ等で固定する。これにより、面状照明装置１は、略密閉構造を取ることができ、フレームの防塵効果を大幅に向上させることができる。
【００３７】
尚、上述した実施の形態においては、透明基板２の対向する側面にそれぞれ光源部５ａ、５ｂを設けた場合について説明したが、この形態に限定されるものではなく、例えば、透明基板２の一側面のみに光源部を配置する場合、対向する側面にそれぞれ複数個の光源部を配置する場合等であっても、面状照明部の大きさに合わせて各フレーム部の長さを適宜対応させることにより同様の効果を有するフレームを得ることができる。
【００３８】
【発明の効果】
本発明に係る面状照明装置によれば、二つの部分フレームにより面状照明部の周囲全体を覆うことにより、面状照明装置を構成する各部材を確実に固定することができる。また、それぞれのフレームに形成された切欠き部と突起部を嵌着させることによりフレームを結合させているので、各部材間の結合力を強めることができる。この結合力の向上により、フレームが外れる心配はなくなり、面状照明装置の組立作業時の取り扱いが容易となり作業効率を高めることができる。
また、切欠き部と突起部との嵌着により二つのフレームを結合させ、さらに嵌着された切欠き部と突起部とを取り外し可能な構造したことにより、容易にフレームの着脱を行うことができ、組立作業での修正工程の効率を高めることができる。
【００３９】
また、フレームに形成された爪によって点状光源を止着しているので、ＦＰＣ上に実装される点状光源の位置が所定の位置から多少ずれて実装された場合であっても、導光体に対する点状光源の位置を所定の位置に配置させることができ、点状光源から放出される光を効率よく導光体内に入射させ、面状装置の輝度を高めることができる。
また、フレームに形成された爪により透明基板を止着することにより、導光体に対する透明基板の位置を所定の位置に配置させることができるので、光源部から出射される光を透明基板内に効率よく入射させることができ、面状装置の輝度を高めることができる。
さらに、フレームに形成された爪を点状光源の凹部に嵌合させているので、点状光源を所定の位置に配置させることができる。逆台形状の溝部からなる光反射パターンを、透明基板の中央付近で最も深くなるように形成することにより、透明基板から出射する光を均一にすることができる。
【００４０】
面状照明部のフレームによって覆われていない側面を覆う別のフレームを設け、また、透明基板の上面を覆う透明のフィルムを取り付けることにより、フレームを密閉構造とすることができるので、防塵効果を高めることができ、導光体および透明基板の損傷を抑えることができるとともに、導光体からの光の出射効率、および透明基板からの光の出射効率を向上させ、面状装置の輝度を高めることができる。
【図面の簡単な説明】
【図１】（ａ）は、本発明に係る面状照明装置の一形態を示す分解斜視図である。
（ｂ）は、光反射パターンの一形態を示す図である。
【図２】本発明に係る面状照明装置の一部断面図である。
【図３】図２の部分裏面図である
【図４】図２に示すＤ部の拡大側面図である。
【図５】図２のＢ−Ｂ線における断面図である。
【図６】図２のＣ−Ｃ線における断面図である。
【図７】別のフレームを取り付ける場合の一形態を示す図である
【図８】フレームを密閉構造とする手段の一形態を示す図である。
【図９】従来の面状照明装置の別の一形態を示す分解斜視図である。
【符号の説明】
１    面状照明装置
２    透明基板
３ａ、３ｂ    導光体
３ｃ、３ｄ    端面
４ａ、４ｂ    点状光源
５ａ、５ｂ    光源部
６    ＦＰＣ
７ａ、７ｂ  フレーム
８、１５、１６、１８  一側面
１２    光路変換手段
１３ａ、１３ｂ  光反射部材
２５  上面
２６  下面
２７  溝部
２８  平坦部
２９  光反射パターン
３８ａ、３８ｂ、３９ａ、３９ｂ、４０ａ、４０ｂ  爪
４１ａ、４２ａ、４３ａ、４４ａ  切欠き部
４１ｂ、４２ｂ、４３ｂ、４４ｂ  突起部
５１ａ、５１ｂ  別のフレーム（シール材）
５５  シール材
５６  フィルム
【図１】
0003728723.tif 000002
【図２】
0003728723.tif 000003
【図３】
0003728723.tif 000004
【図４】
0003728723.tif 000005
【図５】
0003728723.tif 000006
【図６】
0003728723.tif 000007
【図７】
0003728723.tif 000008
【図８】
0003728723.tif 000009
【図９】
0003728723.tif 000010